(57)【要約】【課題】  本発明は、下水道本管の管口に容易に取り付けができるとともに、下水道の管口の径の大小に関わらず確実に止水できる止水プラグを利用したバイパス装置を提供することにある。【解決手段】  マンホール２１を補修するときに下水道本管２２を止水プラグ１，２で閉塞し、マンホール２１内にバイパス管３をつなげて汚水を通すバイパス装置であって、一方の止水プラグ１と、他方の止水プラグ２と、バイパス管３とを備えており、バイパス管３は、両側の管口３ａ，３ｂを一方の止水プラグ１と他方の止水プラグ２にそれぞれ取り付けてあり、一方の止水プラグ１と他方の止水プラグ２は、マンホール２１と接続する一方の下水道本管２２と他方の下水道本管２２のそれぞれの管口２２ａ，２２ｂに挿入して嵌合したときに、各下水道本管２２，２２の内周側から外周方向に圧接する弾性閉塞部５を配置していることを特徴とする。【選択図】      図１
2017193912.tif 000002
【特許請求の範囲】
【請求項１】
マンホールを補修するときに下水道本管を止水プラグで閉塞し、マンホール内にバイパス管をつなげて汚水を通すバイパス装置であって、
一方の止水プラグと、他方の止水プラグと、バイパス管とを備えており、バイパス管は、両側の管口を一方の止水プラグと他方の止水プラグにそれぞれ取り付けてあり、一方の止水プラグと他方の止水プラグは、マンホールと接続する一方の下水道本管と他方の下水道本管のそれぞれの管口に挿入して嵌合したときに、各下水道本管の内周側から外周方向に圧接する弾性閉塞部を配置していることを特徴とする止水プラグを利用したマンホールのバイパス装置。
【請求項２】
弾性閉塞部は、止水プラグを下水道本管の管口に挿入する方向から離れるに従って次第に拡がるように傾斜するテーパ状をなすことを特徴とする請求項１記載の止水プラグを利用したマンホールのバイパス装置。
【請求項３】
止水プラグには、下水道本管の管口内周部に弾性閉塞部と間隔をあけて当接するガイド部が設けてあることを特徴とする請求項１又は２記載の止水プラグを利用したマンホールのバイパス装置。
【発明の詳細な説明】
【技術分野】
【０００１】
本発明は、マンホール間をつなぐ下水道本管を止水して補修を行うための止水プラグを利用したバイパス装置に関するものである。
【背景技術】
【０００２】
マンホールの補修を行うときには、マンホール間をつなぐ下水道本管を塞いで汚水の流れを止めてバイパス管を通す工法が一般的であった。
【先行技術文献】
【特許文献】
【０００３】
【特許文献１】特開２００５−１８０５６９号公報
【発明の概要】
【発明が解決しようとする課題】
【０００４】
この種の止水プラグとして、接続部の外周にゴム製チューブを配置したものがあり、ゴム製チューブに空気を注入して膨らますことで下水道本管の内周にゴム製チューブを圧接して水密性を確保するものがあった。しかしながら、上記のようにゴム製チューブを膨らます態様のものは、空気の注入量を誤ると下水道本管の内周と圧接したときに破裂するおそれがあった。さらに、比較的管口の径が小さい下水道の場合、管内部に作業者が手を入れられないことが多く、止水プラグの取り付けが困難であった。
【０００５】
本発明は、上記課題を鑑みてなされたものであり、下水道本管の管口に容易に取り付けができるとともに、下水道の管口の径の大小に関わらず確実に止水できる止水プラグを利用したバイパス装置を提供することにある。
【課題を解決するための手段】
【０００６】
本発明のうち請求項１記載の発明は、マンホールを補修するときに下水道本管を止水プラグで閉塞し、マンホール内にバイパス管をつなげて汚水を通すバイパス装置であって、一方の止水プラグと、他方の止水プラグと、バイパス管とを備えており、バイパス管は、両側の管口を一方の止水プラグと他方の止水プラグにそれぞれ取り付けてあり、一方の止水プラグと他方の止水プラグは、マンホールと接続する一方の下水道本管と他方の下水道本管のそれぞれの管口に挿入して嵌合したときに、各下水道本管の内周側から外周方向に圧接する弾性閉塞部を配置していることを特徴とする。
【０００７】
本発明のうち請求項２記載の発明は、弾性閉塞部は、止水プラグを下水道本管の管口に挿入する方向から離れるに従って次第に拡がるように傾斜するテーパ状をなすことを特徴とする。
【０００８】
本発明のうち請求項３記載の発明は、止水部には、下水道本管の管口内周部に弾性閉塞部と間隔をあけて当接するガイド部材が設けてあることを特徴とする。
【発明の効果】
【０００９】
本発明のうち請求項１記載の発明によれば、マンホールに接続する下水道本管の管口に止水プラグを挿入して、弾性閉塞部を管内周部に変形して圧接させながら嵌合する。これにより、止水プラグを下水道本管の管口に容易に嵌合できるとともに、高い水密性を保って閉塞することができる。さらに、空気の注入等の二次的な手間が不要であり、これにより、作業者の手が入りにくい比較的径の小さな管口を有する下水道本管に対しても、弾性閉塞部が管口の内周部にしっかりと当接して嵌合することができるので、止水プラグの汎用性が高くなる。
【００１０】
本発明のうち請求項２記載の発明によれば、弾性閉塞部にテーパが設けてあることにより、下水道本管の管口にテーパに沿って止水プラグを円滑に嵌合させることができる。
【００１１】
本発明のうち請求項３記載の発明によれば、下水道本管の管口に止水プラグを嵌合したときに、止水プラグを管内に押し込むとともにガイド部を管内に当接する。これにより、止水プラグは傾くことなく管の延伸方向とほぼ平行に配置され、さらに、ガイド部の当接によって止水プラグが管内にしっかりと固定されるので、止水プラグによる下水道本管の閉塞を安定して行えるようになる。
【図面の簡単な説明】
【００１２】
【図１】本実施による止水プラグをマンホールに接続する一方の下水道本管の管口に挿入する前の状態を示す縦断面図である。
【図２】（ａ）は、本実施による止水プラグを側面視した縦断面図であり、（ｂ）は、止水プラグの背面図である。
【図３】（ａ）〜（ｃ）は、マンホールに接続する一方の下水道本管の管口に止水プラグを挿入したときの弾性閉塞部の状態を示す縦断面図である。
【図４】ガイド部の作動状態を示す（ａ）は、全体を正面視した背面図であり、（ｂ）（ｃ）は、側面視した縦断面図である。
【図５】（ａ）〜（ｃ）は、本実施による止水プラグを利用したマンホールのバイパス装置の施工手順を示す簡略化した縦断面図である。
【図６】本発明の止水プラグの他の実施形態を示す縦断面図である。
【発明を実施するための形態】
【００１３】
以下に、図面に基づいて本発明による止水プラグを利用したマンホールのバイパス装置について説明する。
本実施のものは、図１と図５（ｃ）のように、一方の止水プラグ１と、他方の止水プラグ２と、バイパス管３とから構成されている。そして、一方の止水プラグ１は、マンホール２１に接続する一方の下水道本管２２の管口２２ａを閉塞し、他方の止水プラグ２は、マンホール２１に接続する他方の下水道本管２２の管口２２ｂを閉塞するものである。
尚、符号２３は地表開口部である。
【００１４】
一方の止水プラグ１と他方の止水プラグ２は、ほぼ同一のものであることから、まとめて説明するが、図２（ａ）（ｂ）のように、プラグ本体４と、弾性閉塞部５と、ガイド部６とを備えている。また、プラグ本体４は、耐腐食性や耐薬品性を付与するコーティングがされた鉄を素材として全体がほぼ筒状をなしており、その筒の一側の開放口４ａは、下水道本管２２の管口２２ａ，２２ｂの内径とほぼ一致する外径を有しており、さらに、上記筒の他側の開放口４ｂは、一側の開放口４ａよりも口径が小さく形成してある。これにより、プラグ本体４は、筒の延伸方向のほぼ中央の位置で一側の口径が大きく、他側の口径が小さい段部を有する筒体に形成される。
【００１５】
弾性閉塞部５は、本実施のものでは合成ゴムで成形された全体がリング状をなしており、プラグ本体４の外周部を囲む状態で配置してある。また、弾性閉塞部５は、図２（ａ）を参照すれば、リングの開口の一側から他側に向けて次第に外径が拡がるように傾斜するテーパ５ａが設けてある。さらに、テーパ５ａは、プラグ本体４に取り付けたときに、外周側から押すと簡単に変形するように全周に空隙Ｓが設けてある。
【００１６】
ガイド部６は、図２（ｂ）と図４（ａ）〜（ｃ）のように、受部７とボルト８とから構成されており、上記のボルト８が受部のネジ孔６ａからネジ式に出没する。また、本実施のものではプラグ本体４の口径の小さい他側に上記のガイド部６が設けてある。さらに、ガイド部６は、ほぼ１２０°間隔で三箇所に配置してあり、各々のガイド部６から個々に独立してプラグ本体４の内外方向に出没させることができる。
【００１７】
バイパス管３は、図１と図５（ｃ）を参照すれば、自在に蛇行させることのできるフレキシブルなパイプであり、バイパス管３の一方の管口３ａを一方の止水プラグ１のプラグ本体４の他側の管口に取り付け、さらに、バイパス管３の他方の管口３ｂを他方の止水プラグ２のプラグ本体４の他側の管口に取り付ける。これにより、一方の止水プラグ１が接続する一方の下水道本管２２と他方の止水プラグ２が接続する他方の下水道本管２２との間に、マンホール２１内を通さずに汚水を流すルートが形成される。
【００１８】
上記のような各構成部品で構成される止水プラグ１，２を利用したマンホールのバイパス装置は、以下のようにマンホール２１の一方の下水道本管２２と他方の下水道本管２２が接続する各々の管口２２ａ，２２ｂに取り付けられる。
第一の手順として、図５（ａ）のように、バイパス管３の一方の管口に一方の止水プラグ１を取り付けて固定し、さらに、バイパス管３の他方の管口に他方の止水プラグ２を取り付けて固定する。
第二の手順として、図５（ｂ）のように、一方の止水プラグ１をマンホール２１に接続する一方の下水道本管２２の管口２２ａに挿入して閉塞する。さらに、各ガイド部６のボルト８を外周方向に出して管口２２ａの内周に当接させる。
第三の手順として、図５（ｃ）のように、他方の止水プラグ２を先端に取り付けたバイパス管３を、マンホール２１に接続する他方の下水道本管２２の管口２２ｂに挿入して閉塞する。
上記の第一〜第三の手順を経ることにより、本実施による止水プラグ１，２を利用したマンホール２１のバイパス装置の施工が完了する。
【００１９】
以上のような各構成部品で構成される本実施による止水プラグ１，２を利用したマンホール２１のバイパス装置は、以下に示す作用、効果を奏することになる。
止水プラグ１，２のプラグ本体４の外周部に弾性閉塞部５が配置してあることにより、マンホール２１に接続する一方の下水道本管２２と他方の下水道本管２２のそれぞれの管口２２ａ，２２ｂに止水プラグ１，２を挿入したときに、図５（ｃ）のように、それぞれの管口２２ａ，２２ｂの内周部に弾性閉塞部５が当接する。このときに、止水プラグ１，２がそれぞれの管口２２ａ，２２ｂに入り込んでいくと同時に弾性閉塞部５の外周部がテーパ５ａを有することで、図３（ｂ）のように、弾性閉塞部５の外径が大きくなるにつれて次第に強くそれぞれの下水道本管２２の内周部に当接していく。このことから、弾性閉塞部５のテーパ５ａが案内して止水プラグ１，２が一方の下水道本管２２と他方の下水道本管２２のそれぞれの管口２２ａ，２２ｂを容易且つ確実に閉塞し、マンホール２１内の汚水の流れを止める。
【００２０】
本発明の止水プラグ１，２を利用したマンホール２１のバイパス装置は、特許請求の範囲に記載する範囲内であれば、上記実施形態に示す各構成部品の形状等に限定されない。
弾性閉塞部５は、上記実施形態では外周部がテーパ５ａを有するものを使用しているが、図６のように、アール５ｂの付いたリング状のものを配置してもよい。このことから、止水プラグ１，２を一方の下水道本管２２と他方の下水道本管２２のそれぞれの管口２２ａ，２２ｂに挿入したときに、弾性閉塞部５が当接して隙間を閉塞し、水密性を確保できるものであれば形状は限定しない。ガイド部６は、上記実施形態では受部７からのボルト８の出没をネジ式に調整するものについて挙げたが、図６のように、受部１７の長穴１７ａに内蔵したコイルバネ１９の付勢力でピン１８を弾性的に突出し、下水道本管２２の内周部をピン１８で押圧する態様のものでもよい。このことから、弾性閉塞部５とあわせて止水プラグ１，２を下水道本管２２の延伸方向とほぼ平行に配置できるものであればよい。
【符号の説明】
【００２１】
１  一方の止水プラグ（止水プラグ）
２  他方の止水プラグ（止水プラグ）
３  バイパス管
４  プラグ本体
５  弾性閉塞部
５ａ  テーパ
５ｂ  アール
６  ガイド部
７，１７  受部
７ａ  ネジ孔
７ｂ  長穴
８  ボルト
１８  ピン
１９  コイルバネ
２１  マンホール
２２  一方の下水道本管、他方の下水道本管
２２ａ，２２ｂ  管口
２３  地表開口部
Ｇ  地上
Ｓ  空隙
【図１】
2017193912.tif 000003
【図２】
2017193912.tif 000004
【図３】
2017193912.tif 000005
【図４】
2017193912.tif 000006
【図５】
2017193912.tif 000007
【図６】
2017193912.tif 000008